(57)【要約】【課題】デバイスの交換作業時における労力を軽減させる。【解決手段】デバイス１０は、デバイス情報またはパラメータ情報を設定ツール４０から受信した場合に、デバイス情報をデバイス情報格納部１３１に書き込み、パラメータ情報をパラメータ情報格納部１３２に書き込み、送信元である設定ツール４０に対応する設定ツール情報をツール情報格納部１３３に書き込む情報書込部１１と、設定ツール４０から送信要求を受信した場合に、デバイス情報、パラメータ情報および設定ツール情報を設定ツール４０に送信する情報送信部１２と、を備え、設定ツール４０は、送信要求に応答したデバイスから、デバイス情報、パラメータ情報および設定ツール情報を受信する受信部４１と、受信部４１により受信されたデバイス情報およびパラメータ情報に基づく設定情報を代替デバイス１０に送信する送信部４２と、を備える。【選択図】図２
2015176359.tif 000002
【特許請求の範囲】
【請求項１】
設備内に配置される一または複数のデバイスと、各種の情報を前記デバイスに設定する設定ツールとを備えるデバイス管理システムであって、
前記デバイスは、
自デバイスに特有の情報であるデバイス情報を格納するデバイス情報格納部と、
自デバイスの動作を定める前記パラメータに関するパラメータ情報を格納するパラメータ情報格納部と、
前記デバイス情報および前記パラメータ情報の一部または全部を設定した前記設定ツールを特定するツール情報を格納する設定ツール情報格納部と、
前記デバイス情報または前記パラメータ情報を前記設定ツールから受信した場合に、受信した前記デバイス情報を前記デバイス情報格納部に書き込む、または受信した前記パラメータ情報を前記パラメータ情報格納部に書き込むとともに、前記デバイス情報または前記パラメータ情報の送信元である前記設定ツールに対応する前記設定ツール情報を前記ツール情報格納部に書き込む情報書込部と、
前記デバイス情報、前記パラメータ情報および前記設定ツール情報を送信するように要求する送信要求を前記設定ツールから受信した場合に、前記デバイス情報格納部に格納されている前記デバイス情報、前記パラメータ情報格納部に格納されている前記パラメータ情報および前記設定ツール情報格納部に格納されている前記設定ツール情報を前記設定ツールに送信する情報送信部と、を備え、
前記設定ツールは、
前記送信要求に応答した前記デバイスから、前記デバイス情報、前記パラメータ情報および前記設定ツール情報を受信する受信部と、
前記デバイスの代替対象となる代替デバイスに対して、前記受信部により受信された前記デバイス情報および前記パラメータ情報に基づく設定情報を送信する送信部と、を備える、
ことを特徴とするデバイス管理システム。
【請求項２】
前記設定ツール情報格納部は、前記設定ツール情報のうち、前記デバイスの出荷時に設定された前記設定ツール情報を、他の前記設定ツール情報と区別して格納する、ことを特徴とする請求項１記載のデバイス管理システム。
【請求項３】
前記設定ツール情報格納部は、前記設定ツール情報の履歴を格納する、ことを特徴とする請求項１または２記載のデバイス管理システム。
【請求項４】
前記設定ツール情報格納部は、前記設定ツール情報の履歴のうち、同じ前記設定ツールに対応する前記設定ツール情報については、最新の前記設定ツール情報のみを格納する、ことを特徴とする請求項３記載のデバイス管理システム。
【請求項５】
前記デバイス情報、前記パラメータ情報および前記設定ツール情報を、前記デバイスごとに管理する管理装置を、さらに備えることを特徴とする請求項１〜４のいずれか１項に記載のデバイス管理システム。
【請求項６】
前記デバイスは、ＨＡＲＴ（Highway Addressable Remote Transducer）通信機能を搭載することを特徴とする請求項１〜５のいずれか１項に記載のデバイス管理システム。
【発明の詳細な説明】
【技術分野】
【０００１】
本発明は、デバイス管理システムに関する。
【背景技術】
【０００２】
生産プロセスを管理する工場では、プラント内に多数のデバイス（例えばセンサ機器やバルブポジショナ等のデバイス）を配置してプロセスを管理している。これらのデバイスには、機能の追加や不適合への対応などの改善が施された最新バージョンのファームウェアが搭載される。下記特許文献１には、デバイスのマスター部とスレーブ部とに搭載されるファームウェアのバージョンのうち、一方が最新バージョンではない場合に、自己のまたは相手側の最新バージョンのファームウェアに基づいてファームウェアを更新するデバイスが開示されている。
【先行技術文献】
【特許文献】
【０００３】
【特許文献１】特開２０１１−１５８９２８号公報
【発明の概要】
【発明が解決しようとする課題】
【０００４】
ところで、デバイスは、その適用範囲を広げるために、設置場所や使用状態に応じて、各種のセットアップやチューニング（以下、「デバイス設定」ともいう。）を行うことができる。デバイス設定は、デバイスに搭載されているＨＭＩ（ヒューマンマシンインタフェース）や、デバイス設定用のツール（以下、「設定ツール」ともいう。）を用いて行うことが一般的である。
【０００５】
設定ツールは、デバイスとは別々に提供されるため、設定ツールのバージョンがデバイスのバージョンと常に一致しているとは限らない。デバイスのバージョンが、設定ツールのバージョンよりも新しい場合には、設定ツールで設定可能な範囲のみを設定し、設定ツールで設定不能な範囲は出荷時設定値や初期値のままとなる。
【０００６】
このような状況下でデバイスが故障する等して、デバイスを交換することになった場合、故障したデバイスの設定内容に出荷時設定値や初期値が混在していると、その設定内容が、デバイスと設定ツールとのバージョンが不一致であったために設定できなかったのか、ユーザが意図的に出荷時設定値や初期値と同じ値に設定したのかまでは判断できない。したがって、デバイスを交換する際に、出荷時設定値や初期値と同じ値を設定した意図を調査する必要が生ずるため、交換作業時の労力が増大してしまう。
【０００７】
本発明は、上述した従来技術による問題点を解消するためになされたものであり、デバイスの交換作業時の労力を軽減することができるデバイス管理システムを提供することを目的とする。
【課題を解決するための手段】
【０００８】
本発明に係るデバイス管理システムは、設備内に配置される一または複数のデバイスと、各種の情報を前記デバイスに設定する設定ツールとを備えるデバイス管理システムであって、前記デバイスは、自デバイスに特有の情報であるデバイス情報を格納するデバイス情報格納部と、自デバイスの動作を定める前記パラメータに関するパラメータ情報を格納するパラメータ情報格納部と、前記デバイス情報および前記パラメータ情報の一部または全部を設定した前記設定ツールを特定するツール情報を格納する設定ツール情報格納部と、前記デバイス情報または前記パラメータ情報を前記設定ツールから受信した場合に、受信した前記デバイス情報を前記デバイス情報格納部に書き込む、または受信した前記パラメータ情報を前記パラメータ情報格納部に書き込むとともに、前記デバイス情報または前記パラメータ情報の送信元である前記設定ツールに対応する前記設定ツール情報を前記ツール情報格納部に書き込む情報書込部と、前記デバイス情報、前記パラメータ情報および前記設定ツール情報を送信するように要求する送信要求を前記設定ツールから受信した場合に、前記デバイス情報格納部に格納されている前記デバイス情報、前記パラメータ情報格納部に格納されている前記パラメータ情報および前記設定ツール情報格納部に格納されている前記設定ツール情報を前記設定ツールに送信する情報送信部と、を備え、前記設定ツールは、前記送信要求に応答した前記デバイスから、前記デバイス情報、前記パラメータ情報および前記設定ツール情報を受信する受信部と、前記デバイスの代替対象となる代替デバイスに対して、前記受信部により受信された前記デバイス情報および前記パラメータ情報に基づく設定情報を送信する送信部と、を備える。
【０００９】
上記設定ツール情報格納部は、前記設定ツール情報のうち、前記デバイスの出荷時に設定された前記設定ツール情報を、他の前記設定ツール情報と区別して格納する、こととしてもよい。
【００１０】
上記設定ツール情報格納部は、前記設定ツール情報の履歴を格納する、こととしてもよい。
【００１１】
上記設定ツール情報格納部は、前記設定ツール情報の履歴のうち、同じ前記設定ツールに対応する前記設定ツール情報については、最新の前記設定ツール情報のみを格納する、こととしてもよい。
【００１２】
上記デバイス情報、前記パラメータ情報および前記設定ツール情報を、前記デバイスごとに管理する管理装置を、さらに備える、こととしてもよい。
【発明の効果】
【００１３】
本発明によれば、デバイスの交換作業時における労力を軽減させるデバイス管理システムを提供することができる。
【図面の簡単な説明】
【００１４】
【図１】実施形態におけるデバイス管理システムの構成を例示する図である。
【図２】図１に示すデバイスおよび設定ツールの機能構成を例示する図である。
【図３】図２に示すデバイス情報格納部のデータ構成を例示する図である。
【図４】図２に示すパラメータ情報格納部のデータ構成を例示する図である。
【図５】図２に示す設定ツール情報格納部のデータ構成を例示する図である。
【図６】デバイス管理装置の情報格納部のデータ構成を例示する図である。
【図７】新たなデバイスをデバイス管理システムに登録する際の動作を説明するためのシーケンスチャートである。
【図８】デバイスを交換する際の動作を説明するためのシーケンスチャートである。
【図９】デバイス管理装置の情報格納部のデータ構成を例示する図である。
【発明を実施するための形態】
【００１５】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１６】
図１は、本発明の実施形態におけるデバイス管理システムの概略構成を例示する図である。図１に示すように、デバイス管理システム１は、デバイス管理装置３０と、入出力（ＩＯ）ユニット２０と、デバイス１０と、設定ツール４０とを備える。
【００１７】
デバイス管理装置３０は、ＩＯユニット２０を介してデバイス１０と通信する。デバイス管理装置３０は、例示的に、デバイス１０の設定状態およびデバイス１０でのプロセスの実行状況等をチェックする機能や、デバイス１０の保守／修理等を含む点検に必要な時期等を診断する機能を有する。
【００１８】
デバイス１０は、プラント等の設備内に配置される機器であり、例えば、ＨＡＲＴ（Highway Addressable Remote Transducer）通信機能を搭載する機器や、ファウンデーションフィールドバス（Foundation（登録商標） Fieldbus; ＦＦ）技術に対応する機器を用いることができる。また、複数のＨＡＲＴ通信機能を搭載する機器とＩＯユニット２０とを仲介する調節計を、デバイス１０に含めることとしてもよい。
【００１９】
デバイス１０としては、例示的に、流量や圧力、温度等を検出する各種センサ機器、流量制御弁や圧力制御弁等の各種バルブを制御するバルブポジショナ、ポンプやファン等を動作させる各種アクチュエータ等が該当する。
【００２０】
設定ツール４０は、デバイス１０に対して各種セットアップやチューニングを行う端末であり、後述するデバイス情報およびパラメータ情報をデバイス１０に設定する。図２に示すように、設定ツール４０は、機能的には、例えば、デバイス１０との情報のやり取りを行う受信部４１および送信部４２と、パラメータの設定処理を実行する設定部４３と、を有する。
【００２１】
図２に示すように、デバイス１０は、機能的には、例えば、情報書込部１１と、情報送信部１２と、を有する。情報格納部１３は、上記各部が取り扱うデバイス情報、パラメータ情報および設定ツール情報を格納するデータベースである。このデータベースは、例えば、デバイス１０の不揮発性メモリに記憶させることができる。
【００２２】
図３を参照して、デバイス情報格納部１３１のデータ構成について説明する。デバイス情報格納部１３１は、自デバイスに特有の情報を格納するデータベースであり、データ項目として、例えば、形番項目、Ｓ／Ｗ Ｖｅｒ項目、Ｈ／Ｗ Ｖｅｒ項目、シリアルＮｏ項目、社名項目および通信規格 Ｖｅｒ項目を有する。形番項目は、デバイス１０の形式を特定する識別情報を格納する。Ｓ／ＷＶｅｒ項目は、デバイス１０にインストールされているソフトウェアのバージョンを格納する。Ｈ／Ｗ Ｖｅｒ項目は、デバイス１０を構成するハードウェアのバージョンを格納する。シリアルＮｏ項目は、デバイス１０を特定するシリアルＮｏを格納する。社名項目は、デバイス１０の製造会社名を格納する。通信規格 Ｖｅｒ項目は、デバイス１０に適用される通信規格のバージョンを格納する。
【００２３】
図４を参照して、パラメータ情報格納部１３２のデータ構成について説明する。パラメータ情報格納部１３２は、自デバイスの動作を定めるパラメータに関する情報を格納するデータベースであり、データ項目として、例えば、パラメータ名項目、設定内容項目、設定値項目および備考項目を有する。パラメータ名項目は、パラメータの名称を格納する。設定内容項目は、パラメータの設定内容を特定する情報を格納する。設定値項目は、パラメータの設定値を格納するが、最初にパラメータの値が設定されるまでは初期値を格納する。備考項目は、パラメータに関するメモ等を格納する。
【００２４】
ここで、パラメータとしては、例示的に、入力信号の範囲を選択するパラメータ、制御機能を有するデバイスにおけるＰＩＤパラメータ、異常時の動作を規定するためのパラメータ、通信速度を切り替えるためのパラメータ、デバイスの表示部に表示する内容を選択するパラメータ等がある。
【００２５】
図５を参照して、設定ツール情報格納部１３３のデータ構成について説明する。設定ツール情報格納部１３３は、デバイス情報およびパラメータ情報の一部または全部を更新した設定ツール４０を特定する情報を格納するデータベースであり、データ項目として、例えば、形番項目、Ｓ／Ｗ Ｖｅｒ項目、シリアルＮｏ項目、社名項目および適合ＯＳ項目を有する。形番項目は、設定ツール４０の形式を特定する識別情報を格納する。Ｓ／Ｗ Ｖｅｒ項目は、設定ツール４０にインストールされているソフトウェアのバージョンを格納する。シリアルＮｏ項目は、設定ツール４０を特定するシリアルＮｏを格納する。社名項目は、設定ツール４０の製作会社名を格納する。適合ＯＳ項目は、設定ツール４０に適合するＯＳの種類を格納する。
【００２６】
なお、設定ツール情報格納部１３３は、設定ツール情報のうち、デバイス１０の出荷時に設定された設定ツール情報を、他の設定ツール情報と区別して格納することとしてもよい。これは、例えばトラブル対応の際に、工場出荷時にラインで使用した設定ツールを特定して原因を追究することがあり、この場合にシリアルＮｏだけでは、出荷時に使用した設定ツールまで把握することができないことを考慮したものである。出荷時に設定された設定ツール情報を判別可能に格納しておくことで、トラブル対応の際に有効となる。
【００２７】
また、設定ツール情報格納部１３３は、デバイス情報およびパラメータ情報の一部または全部が更新されるごとに、設定ツール情報を追加することで、設定ツール情報の履歴を管理することとしてもよい。この場合、設定ツール情報格納部１３３は、設定ツール情報の履歴のうち、同じ設定ツール４０に対応する設定ツール情報については、最新の設定ツール情報のみを格納することとしてもよい。
【００２８】
また、本実施形態では、バージョンを管理する場合について説明するが、管理対象はこれに限定されず、リビジョン等、他の改訂番号にも同様に適用することができる。
【００２９】
図２に示す情報書込部１１は、設定ツール４０で設定された設定情報を受信した場合に、設定情報を情報格納部１３に書き込む。以下に、具体的に説明する。
【００３０】
情報書込部１１は、設定情報にデバイス情報が含まれている場合には、そのデバイス情報をデバイス情報格納部１３１に書き込む。情報書込部１１は、設定情報にパラメータ情報が含まれている場合には、そのパラメータ情報をパラメータ情報格納部１３２に書き込む。情報書込部１１は、設定情報の送信元である設定ツール４０に対応する設定ツール情報を設定ツール情報格納部１３３に書き込む。
【００３１】
情報送信部１２は、デバイス情報、パラメータ情報および／または設定ツール情報を送信するように要求するための送信要求を設定ツール４０またはデバイス管理装置３０から受信した場合に、デバイス情報格納部１３１に格納されているデバイス情報、パラメータ情報格納部１３２に格納されているパラメータ情報および／または設定ツール情報格納部１３３に格納されている設定ツール情報を、設定ツール４０またはデバイス管理装置３０に送信する。
【００３２】
図１に示すデバイス管理装置３０は、デバイス情報、パラメータ情報および設定ツール情報を、デバイスＮｏごとに格納する情報格納部を備え、デバイスの設定情報を管理する。図６を参照して、情報格納部のデータ構成について説明する。情報格納部は、パラメータ情報に含まれるデバイスＮｏに対応付けて、デバイス情報、設定ツール情報およびパラメータ情報を格納するデータベースである。図６では、図面を見やすくするためにパラメータ情報の表示を省略している。
【００３３】
次に、実施形態におけるデバイス管理システム１の動作について説明する。まず、図７を参照して、新たなデバイス１０をデバイス管理システム１に登録する際の動作を説明する。この動作では、例示的に、図６に示すデバイスＮｏが“＃０１”のデバイスを登録する際の動作について説明する。つまり、デバイスの形番が“ＤＥＶ１００”でありソフトウェアのバージョンが“２．０”であるデバイス１０に対して、設定ツールの形番が“ＴＯＯＬ００１”でありソフトウェアのバージョンが“１．２”である設定ツール４０を接続し、この設定ツール４０からデバイス１０にパラメータ情報を設定してデバイス管理システム１に登録する際の動作について説明する。
【００３４】
この場合、デバイスには、バージョン“２．０”に対応するパラメータを設定することができるが、このデバイスでは、バージョン“１．２”よりも新しいバージョンに対応するパラメータを利用しないことが判明しているため、バージョン“１．２”に対応するツールで作業が可能であると判断され、以下の作業が行われることとする。
【００３５】
最初に、設定ツール４０は、デバイス１０に接続し（ステップＳ１０１）、そのデバイス１０に対し、デバイス情報を送信するように要求するための送信要求を送信する（ステップＳ１０２）。
【００３６】
続いて、デバイス１０の情報送信部１２は、デバイス情報格納部１３１に格納されているデバイス情報を設定ツール４０に送信する（ステップＳ１０３）。
【００３７】
続いて、設定ツール４０の設定部４３は、ユーザの操作指示に従いながら、バージョン“１．２”に対応するパラメータの設定処理を実行する（ステップＳ１０４）。このパラメータの設定処理で、デバイス１０のデバイスＮｏが“＃０１”と設定される。
【００３８】
続いて、設定ツール４０の送信部４２は、上記ステップＳ１０４で設定したパラメータに対応するパラメータ情報および設定ツール４０に対応する設定ツール情報を含む設定情報をデバイス１０に送信する（ステップＳ１０５）。
【００３９】
続いて、デバイス１０の情報書込部１１は、設定ツール４０から受信した設定情報に含まれるパラメータ情報をパラメータ情報格納部１３２に格納する（ステップＳ１０６）とともに、設定情報に含まれる設定ツール情報を設定ツール情報格納部１３３に格納する（ステップＳ１０７）。この場合、デバイス１０のパラメータのうち、バージョン“１．２”よりも新しいバージョンで追加されたパラメータの設定値は初期値のままとなる。
【００４０】
続いて、設定ツール４０は、デバイス１０との接続を切断する（ステップＳ１０８）。
【００４１】
その後、デバイス１０がデバイス管理システム１に組み込まれ、ＩＯユニット２０と接続する（ステップＳ１０９）。
【００４２】
続いて、デバイス１０の情報送信部１２は、デバイス情報格納部１３１に格納されているデバイス情報、パラメータ情報格納部１３２に格納されているパラメータ情報格納部１３２および設定ツール情報格納部１３３に格納されている設定ツール情報を、デバイス管理装置３０に送信する（ステップＳ１１０）。
【００４３】
続いて、デバイス管理装置３０は、デバイス１０から受信したデバイス情報、パラメータ情報および設定ツール情報を情報格納部に格納する（ステップＳ１１１）。これにより、図６に例示するように、デバイスＮｏ“＃０１”に対応付けて、デバイス１０のデバイス情報およびツール情報等が、デバイス管理装置３０の情報格納部に格納される。
【００４４】
次に、図８を参照して、デバイス１０を交換する際の動作を説明する。この動作では、例示的に、図６に示すデバイスＮｏが“＃０１”のデバイスを、図９に示すデバイスＮｏが“＃０１”のデバイスに交換する際の動作について説明する。つまり、形番が“ＤＥＶ１００”でありソフトウェアのバージョンが“２．０”であるデバイス１０を、形番が“ＤＥＶ５００”でありソフトウェアのバージョンが“５．０”であるデバイス１０に交換する際の動作について説明する。
【００４５】
図６に例示するように、デバイスＮｏが“＃０１”であるデバイスは、設定ツールの形番が“ＴＯＯＬ００１”でありソフトウェアのバージョンが“１．２”である設定ツール４０によってパラメータが設定されている。また、交換作業時に使用する設定ツール４０は、形番が“ＴＯＯＬ５００”でありソフトウェアのバージョンが“５．０”であることとする。
【００４６】
最初に、設定ツール４０は、交換前のデバイス１０に接続し（ステップＳ２０１）、その交換前のデバイス１０に対し、デバイス情報、パラメータ情報および設定ツール情報を送信するように要求するための送信要求を送信する（ステップＳ２０２）。
【００４７】
続いて、交換前のデバイス１０の情報送信部１２は、デバイス情報格納部１３１に格納されているデバイス情報、パラメータ情報格納部１３２に格納されているパラメータ情報格納部１３２および設定ツール情報格納部１３３に格納されている設定ツール情報を設定ツール４０に送信する（ステップＳ２０３）。
【００４８】
その後、設定ツール４０の接続先となるデバイスを、交換前のデバイス１０から、代替対象の代替デバイス１０に切り換える（ステップＳ２０４）。
【００４９】
続いて、設定ツール４０の設定部４３は、交換前のデバイス１０から受信したデバイス情報、パラメータ情報および設定ツール情報を用いて、バージョン“２．０”に対応するパラメータの設定処理を実行するとともに、ユーザの操作指示に従って、バージョン“５．０”に対応する残りのパラメータの設定処理を実行する（ステップＳ２０５）。
【００５０】
この場合、バージョン“２．０”に対応するパラメータのうち、バージョン“１．２”よりも新しいバージョンで追加されたパラメータの設定値は初期値のまま引き継がれることとなる。ただし、それらのパラメータを含む全てのパラメータは、バージョン“５．０”に対応する設定ツール４０で適宜変更することができる。
【００５１】
続いて、設定ツール４０の送信部４２は、上記ステップＳ２０５で設定されたパラメータに対応するパラメータ情報および設定ツール４０に対応する設定ツール情報を含む設定情報を代替デバイス１０に送信する（ステップＳ２０６）。これにより、交換前のデバイス１０から受信したデバイス情報およびパラメータ情報に基づく設定情報が、代替デバイス１０に送信されることとなる。
【００５２】
続いて、代替デバイス１０の情報書込部１１は、設定ツール４０から受信したパラメータ情報をパラメータ情報格納部１３２に格納する（ステップＳ２０７）とともに、受信した設定ツール情報を設定ツール情報格納部１３３に格納する（ステップＳ２０８）。
【００５３】
続いて、設定ツール４０は、代替デバイス１０との接続を切断する（ステップＳ２０９）。
【００５４】
その後、代替デバイス１０がデバイス管理システム１に組み込まれ、ＩＯユニット２０と接続する（ステップＳ２１０）。
【００５５】
続いて、代替デバイス１０の情報送信部１２は、デバイス情報格納部１３１に格納されているデバイス情報、パラメータ情報格納部１３２に格納されているパラメータ情報格納部１３２および設定ツール情報格納部１３３に格納されている設定ツール情報を、デバイス管理装置３０に送信する（ステップＳ２１１）。
【００５６】
続いて、デバイス管理装置３０は、代替デバイス１０から受信したデバイス情報、パラメータ情報および設定ツール情報を情報格納部に格納する（ステップＳ２１２）。
【００５７】
この結果、図６に例示するデバイスＮｏ“＃０１”に対応するデバイス情報および設定ツール情報等が、図９例示するデバイスＮｏ“＃０１”に対応するデバイス情報および設定ツール情報等に更新される。
【００５８】
上述してきたように、実施形態におけるデバイス管理システム１によれば、デバイス１０が情報書込部１１を有することで、デバイス情報またはパラメータ情報を設定ツール４０から受信した場合に、デバイス情報をデバイス情報格納部１３１に書き込み、パラメータ情報をパラメータ情報格納部１３２に書き込むとともに、デバイス情報またはパラメータ情報の送信元である設定ツール４０に対応する設定ツール情報をツール情報格納部１３３に書き込むことができる。また、デバイス１０が情報送信部１２を有することで、デバイス情報、パラメータ情報および設定ツール情報を送信するように要求する送信要求を設定ツール４０から受信した場合に、デバイス情報格納部１３１に格納されているデバイス情報、パラメータ情報格納部１３２に格納されているパラメータ情報および設定ツール情報格納部１３３に格納されている設定ツール情報を設定ツール４０に送信することができる。
【００５９】
さらに、設定ツール４０が受信部４１を有することで、送信要求に応答したデバイス１０から、デバイス情報、パラメータ情報および設定ツール情報を受信することができ、設定ツール４０が送信部４２を有することで、代替デバイス１０に対して、受信部４１により受信されたデバイス情報およびパラメータ情報に基づく設定情報を送信することができる。
【００６０】
これにより、設定ツール４０でデバイス情報やパラメータ情報を設定した場合に、そのデバイス情報やパラメータ情報を設定した設定ツール４０に関する設定ツール情報をデバイス１０に書き込むことができ、設定ツール４０がデバイス１０からデバイス情報およびパラメータ情報を取得する際に、その設定ツール情報も取得することができるようになる。
【００６１】
したがって、その取得した設定ツール情報を参照することで、設定項目の中に、出荷時設定値や初期値と同じ値が設定されている項目が存在しても、その項目に対する設定者の意図を容易に判断することが可能となる。
【００６２】
つまり、その項目が、設定ツール情報に対応する設定ツール４０によって書き込み可能な項目であれば、ユーザが意図的に出荷時設定値や初期値と同じ値に設定したと判断することができる。一方、その項目が、設定ツール情報に対応する設定ツール４０によって書き込み不能な項目であれば、デバイス１０と設定ツール４０とのバージョンが不一致であったため、出荷時設定値や初期値のままになっていると判断することができる。
【００６３】
また、実施形態におけるデバイス管理システム１によれば、交換前のデバイス１０の各設定項目に対する設定者の意図を確認したうえで、交換前のデバイス１０に設定されていたデバイス情報およびパラメータ情報に基づく設定情報を代替デバイス１０に送信することができる。
【００６４】
それゆえ、実施形態におけるデバイス管理システム１によれば、デバイス１０の交換作業時における労力を軽減させることが可能となる。
【符号の説明】
【００６５】
１…デバイス管理システム
１０…デバイス
１１…情報書込部
１２…情報送信部
１３…情報格納部
２０…ＩＯユニット
３０…デバイス管理装置
４０…設定ツール
１３１…デバイス情報格納部
１３２…パラメータ情報格納部
１３３…設定ツール情報格納部
【図１】
2015176359.tif 000003
【図２】
2015176359.tif 000004
【図３】
2015176359.tif 000005
【図４】
2015176359.tif 000006
【図５】
2015176359.tif 000007
【図６】
2015176359.tif 000008
【図７】
2015176359.tif 000009
【図８】
2015176359.tif 000010
【図９】
2015176359.tif 000011